(57)【特許請求の範囲】
【請求項１】
ワイヤレスデバイスからの電磁放射線の放射を制御するための方法であって、
可変送信電力制限を動的に決定することと、
現在の可変送信電力制限を増加または減少させることと、
ワイヤレスデバイスからの電磁放射線の放射を制御するために、前記現在の可変送信電力制限に従って前記ワイヤレスデバイスの送信電力を調整することとを備え、
可変送信電力制限を動的に決定することが、前記ワイヤレスデバイスの存在下で外部デバイスによって行われた測定に基づいてＳＡＲまたは送信電力制限情報を取得することを備える、方法。
【請求項２】
前記外部デバイスが無線周波数識別タグを備える、請求項１に記載の方法。
【請求項３】
可変送信電力制限を動的に決定することが、ロケーションに基づいて送信電力を制限することを備える、請求項１に記載の方法。
【請求項４】
ロケーションに基づいて送信電力を制限することが、ロケーションの感度を決定するために、ロケーション情報を、基地局または他のネットワーク要素から受信したデータベース情報と相関させることを備える、請求項３に記載の方法。
【請求項５】
可変送信電力制限を動的に決定することが、人体近接度を検知することを備える、請求項１に記載の方法。
【請求項６】
人体近接度が赤外線センサ、熱センサ、静電容量センサまたは抵抗センサのうちの１つまたは複数を使用して検出される、請求項５に記載の方法。
【請求項７】
可変送信電力制限を動的に決定することが、ユーザ入力から送信電力制限を計算することを備える、請求項１に記載の方法。
【請求項８】
可変送信電力制限を動的に決定することが、短距離、低電力技術を介して前記ワイヤレスデバイスによって信号をアクティブに受信することを備える、請求項１に記載の方法。
【請求項９】
短距離、低電力技術がＢｌｕｅｔｏｏｔｈまたはニアフィールド通信技術を備える、請求項８に記載の方法。
【請求項１０】
ワイヤレス通信信号の送受信が可能なワイヤレス通信トランシーバおよび関連するアンテナと、
信号を処理し、メモリに記憶されたコードを実行するためのプロセッサを備える前記トランシーバに結合されたモデムと、
送信電力を測定し、制御するための前記モデムと前記トランシーバに結合された電力管理ユニットと、
可変送信電力制限を動的に決定し、現在の可変送信電力制限を増加または減少させ、ワイヤレスデバイスからの電磁放射線の放射を制御するために、前記現在の可変送信電力制限に従って前記ワイヤレスデバイスの送信電力を調整するための命令を記憶するための前記モデムに結合されたメモリとを備えるワイヤレスデバイスであって、
可変送信電力制限を動的に決定することが、前記ワイヤレスデバイスの存在下で外部デバイスによって行われた測定に基づいてＳＡＲまたは送信電力制限情報を取得することを備える、ワイヤレスデバイス。
【請求項１１】
前記外部デバイスが無線周波数識別タグを備える、請求項１０に記載のワイヤレスデバイス。
【請求項１２】
可変送信電力制限を動的に決定することが、ロケーションに基づいて送信電力を制限することを備える、請求項１０に記載のワイヤレスデバイス。
【請求項１３】
ロケーションに基づいて送信電力を制限することが、ロケーションの感度を決定するために、ロケーション情報を、基地局または他のネットワーク要素から受信したデータベース情報と相関させることを備える、請求項１２に記載のワイヤレスデバイス。
【請求項１４】
可変送信電力制限を動的に決定することが、人体近接度を検知することを備える、請求項１０に記載のワイヤレスデバイス。
【請求項１５】
人体近接度が赤外線センサ、熱センサ、静電容量センサまたは抵抗センサのうちの１つまたは複数を使用して検出される、請求項１４に記載のワイヤレスデバイス。
【請求項１６】
可変送信電力制限を動的に決定することが、ユーザ入力から送信電力制限を計算することを備える、請求項１０に記載のワイヤレスデバイス。
【請求項１７】
可変送信電力制限を動的に決定することが、短距離、低電力技術を介して前記ワイヤレスデバイスによって信号をアクティブに受信することを備える、請求項１０に記載のワイヤレスデバイス。
【請求項１８】
短距離、低電力技術がＢｌｕｅｔｏｏｔｈまたはニアフィールド通信技術を備える、請求項１７に記載のワイヤレスデバイス。
【請求項１９】
ワイヤレスデバイスにおけるプロセッサに、
可変送信電力制限を動的に決定させ、
現在の可変送信電力制限を増加または減少させ、
ワイヤレスデバイスからの電磁放射線の放射を制御するために、前記現在の可変送信電力制限に従って前記ワイヤレスデバイスの送信電力を調整させるための記憶された命令を有するコンピュータ可読記憶媒体であって、
可変送信電力制限を動的に決定することが、前記ワイヤレスデバイスの存在下で外部デバイスによって行われた測定に基づいてＳＡＲまたは送信電力制限情報を取得することを備える、コンピュータ可読記憶媒体。
【請求項２０】
前記外部デバイスが無線周波数識別タグを備える、請求項１９に記載のコンピュータ可読記憶媒体。
【請求項２１】
可変送信電力制限を動的に決定することが、ロケーションに基づいて送信電力を制限することを備える、請求項１９に記載のコンピュータ可読記憶媒体。
【請求項２２】
ロケーションに基づいて送信電力を制限することが、ロケーションの感度を決定するために、ロケーション情報を、基地局または他のネットワーク要素から受信したデータベース情報と相関させることを備える、請求項２１に記載のコンピュータ可読記憶媒体。
【請求項２３】
可変送信電力制限を動的に決定することが、人体近接度を検知することを備える、請求項１９に記載のコンピュータ可読記憶媒体。
【請求項２４】
人体近接度が赤外線センサ、熱センサ、静電容量センサまたは抵抗センサのうちの１つまたは複数を使用して検出される、請求項２３に記載のコンピュータ可読記憶媒体。
【請求項２５】
可変送信電力制限を動的に決定することが、ユーザ入力から送信電力制限を計算することを備える、請求項１９に記載のコンピュータ可読記憶媒体。
【請求項２６】
可変送信電力制限を動的に決定することが、短距離、低電力技術を介して前記ワイヤレスデバイスによって信号をアクティブに受信することを備える、請求項１９に記載のコンピュータ可読記憶媒体。
【請求項２７】
短距離、低電力技術がＢｌｕｅｔｏｏｔｈまたはニアフィールド通信技術を備える、請求項２６に記載のコンピュータ可読記憶媒体。
【請求項２８】
ワイヤレスデバイスからの電磁放射線の放射を制御するための装置であって、
可変送信電力制限を動的に決定するための手段と、
現在の可変送信電力制限を増加または減少させるための手段と、
ワイヤレスデバイスからの電磁放射線の放射を制御するために、前記現在の可変送信電力制限に従って前記ワイヤレスデバイスの送信電力を調整するための手段とを備え、
可変送信電力制限を動的に決定することが、前記ワイヤレスデバイスの存在下で外部デバイスによって行われた測定に基づいてＳＡＲまたは送信電力制限情報を取得することを備える、装置。
【請求項２９】
前記外部デバイスが無線周波数識別タグを備える、請求項２８に記載のワイヤレスデバイスからの電磁放射線の放射を制御するための装置。
【請求項３０】
可変送信電力制限を動的に決定するための手段が、ロケーションに基づいて送信電力を制限するための手段を備える、請求項２８に記載のワイヤレスデバイスからの電磁放射線の放射を制御するための装置。
【請求項３１】
ロケーションに基づいて送信電力を制限するための手段が、ロケーションの感度を決定するために、ロケーション情報を、基地局または他のネットワーク要素から受信したデータベース情報と相関させるための手段を備える、請求項３０に記載のワイヤレスデバイスからの電磁放射線の放射を制御するための装置。
【請求項３２】
可変送信電力制限を動的に決定するための手段が、人体近接度を検知するための手段を備える、請求項２８に記載のワイヤレスデバイスからの電磁放射線の放射を制御するための装置。
【請求項３３】
人体近接度を検知するための手段が赤外線センサ、熱センサ、静電容量センサまたは抵抗センサを備える、請求項３２に記載のワイヤレスデバイスからの電磁放射線の放射を制御するための装置。
【請求項３４】
可変送信電力制限を動的に決定するための手段が、ユーザ入力から送信電力制限を計算するための手段を備える、請求項２８に記載のワイヤレスデバイスからの電磁放射線の放射を制御するための装置。
【請求項３５】
可変送信電力制限を動的に決定するための手段が、短距離、低電力技術を介して前記ワイヤレスデバイスによって信号をアクティブに受信するための手段を備える、請求項２８に記載のワイヤレスデバイスからの電磁放射線の放射を制御するための装置。
【請求項３６】
短距離、低電力技術がＢｌｕｅｔｏｏｔｈまたはニアフィールド通信技術を備える、請求項３５に記載のワイヤレスデバイスからの電磁放射線の放射を制御するための装置。
【請求項３７】
前記外部デバイスが前記ワイヤレスデバイスから受ける電磁放射線の量を測定し、前記測定した電磁放射線の量が閾値を上回る場合、前記ワイヤレスデバイスが、前記測定した放射線レベルまたは所望の送信電力制限を示す前記外部デバイスから信号を受信する、請求項２８に記載の装置。
【発明の詳細な説明】
【技術分野】
【０００１】
本発明は、一般にワイヤレス通信に関し、より詳細には、ワイヤレス通信デバイスにおいて電磁放射線の放射を制限することに関する。
【背景技術】
【０００２】
ワイヤレス通信システムは、音声、データなど、様々なタイプの通信コンテンツを提供するために広く展開されている。これらのシステムは、帯域幅および送信電力などの利用可能なシステムリソースを共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、３ＧＰＰ２  Ｕｌｔｒａ  Ｍｏｂｉｌｅ  Ｂｒｏａｄｂａｎｄ（ＵＭＢ）システム、ＬＴＥ  Ａｄｖａｎｃｅｄ、ＷｉｒｅｌｅｓｓＭＡＮ−Ａｄｖａｎｃｅｄおよび直交周波数分割多元接続（ＯＦＤＭＡ）システムが含まれる。
【０００３】
システムの中で送信される電力量を増加させると、デバイスのデータスループットおよび送信範囲を増加させることができ、スマートフォン、ＷＡＮ−ＷＬＡＮゲートウェイ（たとえばＭｉＦｉなど）およびタブレットなどのワイヤレスデバイスでリッチなマルチメディアアプリケーションを使用することが可能となる。増加した送信範囲によって、セルラー基地局やアクセスポイントから遠く離れた場所でも、これらのアプリケーションを使用することが可能になる。したがって、ワイヤレスデバイスの最大許容送信電力を増加させることは、ユーザエクスペリエンスにとって有益である。
【０００４】
送信電力を増加させることは多元接続通信システムの機能およびユーザエクスペリエンスを改善するが、同時にワイヤレスデバイスからの無線周波数（ＲＦ）放射線を増加させもする。ユーザおよび規制機関は、ユーザの健康に対する増加したＲＦ放射線の悪影響を懸念している。癌、性と生殖に関する健康および他の疾患に関連して、ＲＦ放射線の影響についての研究が行われている。ＦＣＣなどの規制機関は、比吸収率（ＳＡＲ）に換算して指定されるモバイルデバイスからのＲＦ放射線に制限を課している。ＳＡＲとは、ＲＦ電磁場に曝された場合に、身体にエネルギーが吸収される比率の尺度である。ＳＡＲは、ワット毎キログラム（Ｗ／Ｋｇ）の単位での組織の質量あたりの吸収電力として定義される。ＳＡＲは通常、全身の間で平均化されるか、または１グラムと１０グラムとの間の組織の小さなサンプル質量の間で平均化される。したがって、ＳＡＲ値は述べた質量の間で影響を受けた身体部分の中で測定される最大レベルである。ＳＡＲは、ワイヤレスデバイスの設計、ユーザの身体に対するワイヤレスデバイスの配置、および送信電力のレベルの関数である。ワイヤレスデバイスは現在、それらの送信電力を固定値に制限している。たとえば、一部のデバイスはＳＡＲ制限を満たすための２４ｄＢｍの制限を使用する。さらに、ワイヤレスデバイスの製造業者はまた、ワイヤレスデバイスのＳＡＲを制限するために、頭から１インチ離すなど、身体から十分遠くに離してデバイスを配置することもユーザに勧めている。
【０００５】
しかしながら、従来の固定の送信電力制限を使用することは、しばしば選択した送信電力制限が特定の個別のユーザにとって高すぎる、または低すぎることになる。固定の電力制限は典型的に、ユーザの身体的特徴の統計的サンプリングと身体の近くのデバイスの配置に基づいて、デバイス製造業者によって選択される。乳幼児および子供、妊婦、高齢者または敏感な身体的特徴を有する人を含む個別のユーザにとっては、課される制限が高すぎることがある。また固定の送信電力制限は、デバイスが重要な臓器に極めて接近している間に最大電力でバックグラウンドデータを送信することなどの習慣的な使用パターンにとっても高すぎることがある。たとえば、ワイヤレスデバイスが人のポケットの中に入ったままの場合である。ユーザが話し中の間だけ自分たちの電話が送信を行っていると知っていた音声だけの携帯電話とは異なり、後世代の多元接続通信システムにおけるワイヤレスデバイスのユーザは、高電力のバックグラウンドアップロード、データの同期または他のアプリケーションのせいで、送信活動が進行中であることを認識していないことも、それについてデバイスによる警告を受けないこともある。さらに、気づいていない第三者が他人の所有するデバイスからの「間接放射線」を受けることがある。
【０００６】
反対に、固定の送信電力制限は個別のユーザにとって低すぎることがある。低い送信電力制限を設定することは、デバイスが広範囲にわたる利用シナリオのために許容可能なＳＡＲを生じることを確実にするが、この制限は個別の利用行動にとっては低すぎることがある。たとえば、スマートフォンが頭の隣に配置されることを仮定しているＳＡＲ制限設定は、自分のスマートフォンを自分の身体から離して配置する目的で音声呼のために常にヘッドセットを使用するユーザにとっては低すぎる。
【発明の概要】
【０００７】
したがって、当技術分野では、電磁ＲＦ放射線を制限するためのワイヤレスデバイスにおける送信電力の動的な個別制御のための方法が必要とされている。
【図面の簡単な説明】
【０００８】
【図１】ワイヤレスデバイスにおける動的な電磁放射線の放射制御が使用され得るブロードキャストネットワークの例を示す図。
【図２】動的な電磁放射線の放射制御を示す例示的な高レベル概要フローチャート。
【図３】例示的な動的な電磁放射線の放射制御を詳細に示すフローチャート。
【図４】動的な電磁放射線の放射制御が可能な例示的なハードウェア実施形態の高レベルブロック図。
【発明を実施するための形態】
【０００９】
「例示的」という単語は、本明細書では、「例、事例、または例示の働きをすること」を意味するために使用する。本明細書で「例示的」と記載されたいかなる実施形態も、必ずしも他の実施形態よりも好ましいまたは有利であると解釈すべきではない。
【００１０】
本明細書で使用する「モバイルデバイス」、「ワイヤレスデバイス」および「ユーザ機器」という用語は、セルラー電話、スマートフォン、タブレット、ネットブック、ワイヤレス端末、ユーザ機器、ラップトップコンピュータ、フェムトセル、高データレート（ＨＤＲ）加入者局、アクセス端末などのワイヤレス通信デバイス、または他のパーソナル通信システム（ＰＣＳ）デバイスのことを指す。デバイスは、移動または固定のいずれかであり得る。
【００１１】
個別のデバイスにおける送信電力を制限することによる、ワイヤレスデバイスにおけるアクティブおよびパッシブの動的な電磁放射線の放射制御のための方法および装置を開示する。一実施形態では、ワイヤレスデバイスは、無線周波数識別情報（ＲＦ  ＩＤ）タグで送信電力制限を認識することができる。タグには、許容送信電力レベルに関する情報を埋め込んでもよい。より低い送信電力制限を示すタグは装着することができるか、またはベルト、ズボンやシャツのポケット、帽子、下着などの重要な臓器の近くの衣類、もしくは乳幼児用ベッドなどの家具の中に埋め込むことができる。より高い送信電力制限を示すタグは、ユーザの身体から遠い距離に配置された充電スタンドまたは他のエリアの近くに埋め込むことができる。ＲＦ  ＩＤ／ＮＦＣタグが検出されると、送信電力制限はタグによって示されるように調整される。随意に、ユーザはタグによって示される現在の送信電力制限の変更を通知されてもよく、送信電力レベル制限の変更を許可または却下する機会を持ってもよい。
【００１２】
別の実施形態では、ワイヤレスデバイスはそれらの全地球測位システム（ＧＰＳ）の場所に基づいて送信電力制限を観測してもよい。病院、デイケアセンターなどの場所には、低減された送信電力レベル制限があり得る。
【００１３】
別の実施形態では、ワイヤレスデバイスには有機物への近接度を決定するためのセンサが装備される。人体近接度検出は赤外線センサ、静電容量センサ、抵抗センサなどのうちの１つまたは複数に基づいてもよい。送信電力は近接度に基づいて制限されてもよい。現代のワイヤレスデバイスはしばしば、いくつかの様々な用途に適したセンサをすでに含んでいるが、近接度検出の特定目的のために他のものがワイヤレスデバイスに組み込まれてもよい。
【００１４】
別の実施形態では、送信電力制限は、ニアフィールド通信（ＮＦＣ）またはＢｌｕｅｔｏｏｔｈ（登録商標）などの短距離、低電力の技術を介してワイヤレスデバイスによってアクティブに受信される。保育所、病院または任意の他の慎重に扱うべきエリアでこの技法が使用されてもよい。
【００１５】
さらに別の実施形態では、ワイヤレスデバイスはユーザの裁量で送信電力レベルを設定するためのメニュー機能を備える。これらの技法を使用することで、ワイヤレスデバイスは、データスループット、カバレージおよびユーザエクスペリエンスを最大化しながら、いかなる状況においても適切な送信電力量を動的に調整することができる。
【００１６】
図１は、動的な電磁放射線の放射制御が使用され得るワイヤレス通信ネットワークの例を示す図である。図１に示されているように、ワイヤレス通信ネットワーク１００はワイヤレス通信信号を送信するための複数の基地局１０４と１０６と１０８とを含む。信号およびデータは、ユーザコンテンツおよび情報を供給するために、基地局１０４、１０６および１０８によってブロードキャストされ得る。たとえば、ストリーミングビデオ、ゲームまたは他のアプリケーションのためのデータはワイヤレスネットワークを介して配信されてもよい。ワイヤレスデバイスまたはユーザ機器（ＵＥ）１０２は、ユーザによって消費されるためのデータを受信する。この例では、受信機１０２は自動車に設けられているように描いている。受信局１０２はそのように限定されているが、また、たとえば、人、別のモバイルエンティティ／デバイス、または固定のエンティティ／デバイスを表すこともできる。さらに、受信機は、コンピュータ、ラップトップコンピュータ、電話、携帯電話、携帯情報端末（ＰＤＡ）、ネットブック、タブレット、オーディオプレーヤー、ゲームコンソール、カメラ、カムコーダ、オーディオデバイス、ビデオデバイス、マルチメディアデバイス、（（１つまたは複数の）プリント回路板、（１つまたは複数の）集積回路、および／または（１つまたは複数の）回路構成要素などの）上記のいずれかの（１つまたは複数の）構成要素、または動的な電磁放射線の放射制御をサポートすることが可能な任意の他のデバイスを表すことができる。ホストシステムは固定または移動であってもよく、デジタルデバイスであってもよい。
【００１７】
図２は、動的な電磁放射線の放射制御を示す例示的な高レベル概要フローチャートである。制御フローは、送信電力制限の更新イベントが生じると、ステップ２０２で開始する。送信電力制限の更新イベントは単に周期的なものであってもよく、電力制御コマンドを受信してから；各チャネル推定で；所定の大きさのロケーション変更の間；ソート領域信号が受信されるとき；または現在の送信電力制限を更新するための任意の他の適切な誘因で生じてもよい。制御フローはステップ２０４に進む。
【００１８】
ステップ２０４で、送信電力制限を変更し得る要因の検査によって、動的な、または可変の送信電力制限が決定される。動的な送信電力制限の決定を図３に詳細に示す。制御フローはステップ２０６に進む。
【００１９】
新しい送信電力制限がステップ２０４で決定されている場合、ステップ２０６で、現在の送信電力制限は増加または減少、すなわち更新されてもよい。制御フローはステップ２０８に進む。
【００２０】
ステップ２０６で現在の送信電力制限が更新されている場合、ステップ２０８で、ワイヤレスデバイスの送信電力は調整される。したがって、送信電力制限が変化しない場合であっても、送信電力を連続的に調整することができ得る。次の送信電力更新イベントが生じると、制御フローはステップ２０２に戻る。
【００２１】
図３は、例示的な動的な送信電力制限の決定２０４を詳細に示すフローチャートである。ＳＡＲ制限または送信電力制限値を有する外部デバイスの存在を探索することによって、ステップ３０２で制御フローが開始する。一実施形態では、外部デバイスはＳＡＲまたは送信電力制限を含むＲＦ  ＩＤタグである。別の実施形態では、外部デバイスは、本発明の範囲から逸脱しないワイヤレスデバイスに利用可能なＳＡＲまたは送信電力制限値を有する任意のデバイスであり得る。外部デバイスはまた、ワイヤレスデバイスから受ける電磁放射線の量を測定および推定することもでき得る。そのようなデバイスはＳＡＲ測定器と呼ばれることがある。測定した電磁放射線の量が閾値を上回る場合、ＳＡＲ測定器は（たとえば、ＢｌｕｅｔｏｏｔｈまたはＮＦＣなどの短距離ワイヤレスを介して）、測定した放射線レベルまたは所望の送信電力制限を示すワイヤレスデバイスに信号を送信する。外部デバイスが検出される場合、制御フローは、送信電力制限がＳＡＲ値から計算される、または検出した情報をワイヤレスデバイスのための送信電力制限に変換するために必要な任意の他の処理が実行されるステップ３１４に進む。外部デバイスが検出されない場合、制御フローはステップ３０４に進む。
【００２２】
ステップ３０４で、ワイヤレスデバイスの現在のロケーションのために、ロケーションに基づいた送信電力制限が決定される。一実施形態では、電磁放射線に対するロケーションの感度を決定するために、ＧＰＳのロケーションは、基地局または他のアクセスノードから受信したデータベース情報と相関がとられる。他の実施形態では、ロケーション感度を決定するためのいずれの方法も、本発明の範囲から逸脱することなく実施され得る。ロケーション感度が決定される場合、制御フローは、送信電力制限がロケーションのための適切なＳＡＲ値から計算される、またはロケーション情報をワイヤレスデバイスのための送信電力制限に変換するために必要な任意の他の処理が実行されるステップ３１４に進む。ロケーション感度が決定されない場合、制御フローはステップ３０６に進む。
【００２３】
ステップ３０６で、内蔵人体近接度センサがワイヤレスデバイスに組み込まれている場合、人体近接度検出が実行される。人体近接度検出は赤外線センサ、静電容量センサ、抵抗センサなどのうちの１つまたは複数に基づき得る。送信電力は近接度に基づいて制限されてもよい。他の実施形態では、人体近接度を決定するためのいずれの方法も、本発明の範囲から逸脱することなく実施され得る。人体近接度が決定される場合、制御フローは、送信電力制限が近接度のための適切なＳＡＲ値から計算される、または近接度情報をワイヤレスデバイスのための送信電力制限に変換するために必要な任意の他の処理が実行されるステップ３１４に進む。人体近接度が決定されない場合、制御フローはステップ３０８に進む。
【００２４】
ステップ３０８で、ユーザ入力はポーリングされるか、またはそれ以外にワイヤレスデバイスのメニューまたは他の機能を介して求められる。ユーザが送信電力の増加または減少を要求している場合、制御フローは、送信電力制限がユーザ入力から計算される、またはユーザ入力をワイヤレスデバイスのための送信電力制限に変換するために必要な任意の他の処理が実行されるステップ３１４に進む。ユーザが送信電力の増加または減少を要求していない場合、制御フローはステップ３１０に進む。
【００２５】
ステップ３１０で、ニアフィールド通信（ＮＦＣ）またはＢｌｕｅｔｏｏｔｈなどの短距離、低電力の技術を介してワイヤレスデバイスによってアクティブに受信される信号は、ＳＡＲ値または送信電力制限情報のために処理される。そのような電力制限情報を有する信号が受信される場合、制御フローは、送信電力制限が受信した信号から計算される、または受信した情報をワイヤレスデバイスのための送信電力制限に変換するために必要な任意の他の処理が実行されるステップ３１４に進む。そのような電力制限情報を有する信号が受信されない場合、制御フローは、現在の送信電力制限に対する増加または減少は必要ではないという表示とともに図のステップ２０６に戻る。
【００２６】
ステップ３１４では、ステップ３０２〜３１０で決定された、更新された送信電力制限に従って、ワイヤレスデバイスに特有の新しい送信電力レベル制限が計算される。制御フローは、ユーザが電力制限を変更する許可について質問される任意のステップ３１２に進んでもよい。ユーザは、新しい電力制限を許容または拒絶してもよく、制御フローは、現在の送信電力制限に対して許容された増加もしくは減少、または変更なしが必要であることを示して図２のステップ２０６に戻る。任意のステップ３１２が実施されない場合、制御フロー制御フローは、現在の送信電力制限および送信電力に対して増加または減少が必要であるという表示とともに、図２のステップ２０６に戻る。
【００２７】
図４は、動的な電磁放射線の放射制御４００が可能な例示的なワイヤレスデバイスを示すブロック図である。ワイヤレスデバイス４００は、ワイヤレス通信信号の送受信が可能なワイヤレス通信ＲＦトランシーバ４０４と関連のアンテナ４０２ａと４０２ｂとを備える。モデム４０６は、適切な（１つまたは複数の）マイクロプロセッサ４１２と、（１つまたは複数の）デジタル信号プロセッサ４１４と、相関器バンクなどの信号を処理するための他の適切なハードウェアとを備える。電力管理４１０は、ワイヤレスデバイス４００の様々な構成要素のために電力を制御する。メモリ４０８は、動的な電磁放射線の放射制御のための様々なモデムプロセスおよび機能を実施するために、必要に応じてモデム４０４に結合される。ワイヤレスデバイス４００は、英数字キーパッド、ディスプレイ、マイクロフォン、スピーカおよび他の必要な構成要素（図示せず）を伴う適切なユーザインターフェースを備え得る。任意のセンサ４１６は、人体近接度検出のために熱センサ、赤外線センサ、静電容量センサ、抵抗センサなどのうちの１つまたは複数を備え得る。当業者には、ワイヤレスデバイス４００が図示していない様々な構成要素を備え得ることが諒解されよう。
【００２８】
本明細書で説明する動的な電磁放射線の放射制御のための方法は、ワイヤレスデバイス４００のマイクロプロセッサ４１２およびメモリ４０８上で動作する適切な命令によって実施され得るが、もちろんそのような実施態様に限定されず、代わりにハードウェア回路で実施されてもよい。マイクロプロセッサ４１２は、マイクロプロセッサ４１２に動的な電磁放射線の放射制御を実行するように指示するコードまたは命令を有する電力管理４１０およびメモリ４０８に接続される。メモリ４０８は、動的な電磁放射線の放射制御を実行するための命令を備え得る。メモリ４０８は、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体またはコンピュータ可読媒体を含み得る。例示的な態様では、制御プロセッサ４１２は、動的な電磁放射線の放射制御を実行するために、図２〜３のステップに従ってメモリ４０８に記憶された命令を実行する。
【００２９】
したがって、本発明の新規の特徴は、衣類、家具などに埋め込まれた送信電力制限を示すＲＦ  ＩＤ／ＮＦＣタグ、Ｂｌｕｅｔｏｏｔｈまたは他の短距離技術を介した電力制限の通信、ロケーションに基づいた送信電力制限を使用して送信電力制限を制御することと、ＳＡＲを最小限にするためにモバイルならびにフェムトセル／アクセスポイントの送信電力を制御することによるワイヤレスデバイスからの電磁放射線の放射の可変の動的な制御を備える。
【００３０】
情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００３１】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装され得ることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を具体的な適用例ごとに様々な方法で実装し得るが、そのような実装の決定は、本発明の範囲からの逸脱を生じるものと解釈すべきではない。
【００３２】
本明細書で開示した実施形態に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行され得る。汎用プロセッサはマイクロプロセッサであってもよいが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装されてもよい。
【００３３】
本明細書で開示する実施形態に関して説明する方法またはアルゴリズムのステップは、直接ハードウェアで実施されるか、プロセッサによって実行されるソフトウェアモジュールで実施されるか、またはその２つの組合せで実施されてもよい。方法ステップは、本発明の範囲から逸脱することなく交換することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣは、ユーザ端末内に常駐し得る。代替として、プロセッサおよび記憶媒体は、ユーザ端末内に個別構成要素として常駐し得る。
【００３４】
１つまたは複数の例示的な実施形態では、説明した機能はハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、あるいは命令またはデータ構造の形態の所望のプログラムコードを搬送または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００３５】
開示した実施形態の前述の説明は、いかなる当業者も本発明を実施または使用できるようにするために提供されるものである。これらの実施形態への様々な修正は当業者には容易に明らかであり、本明細書で定義した一般原理は、本発明の趣旨または範囲から逸脱することなく他の実施形態に適用され得る。したがって、本発明は、本明細書に示す実施形態に限定されるものではなく、本明細書で開示する原理および新規の特徴と一致する最も広い範囲を与えられるべきある。
以下に、本願出願の当初の特許請求の範囲に記載された発明を付記する。
［Ｃ１］
ワイヤレスデバイスからの電磁放射線の放射を制御するための方法であって、
可変送信電力制限を動的に決定することと、
現在の可変送信電力制限を増加または減少させることと、
ワイヤレスデバイスからの電磁放射線の放射を制御するために、前記現在の可変送信電力制限に従って前記ワイヤレスデバイスの送信電力を調整することとを備える、方法。
［Ｃ２］
可変送信電力制限を動的に決定することが、外部デバイスからＳＡＲまたは送信電力制限情報を取得することを備える、［Ｃ１］に記載の方法。
［Ｃ３］
前記外部デバイスが無線周波数識別タグを備える、［Ｃ２］に記載の方法。
［Ｃ４］
可変送信電力制限を動的に決定することが、ロケーションに基づいて送信電力を制限することを備える、［Ｃ１］に記載の方法。
［Ｃ５］
ロケーションに基づいて送信電力を制限することが、ロケーションの感度を決定するために、ロケーション情報を、基地局または他のネットワーク要素から受信したデータベース情報と相関させることを備える、［Ｃ４］に記載の方法。
［Ｃ６］
可変送信電力制限を動的に決定することが、人体近接度を検知することを備える、［Ｃ１］に記載の方法。
［Ｃ７］
人体近接度が赤外線センサ、熱センサ、静電容量センサまたは抵抗センサのうちの１つまたは複数を使用して検出される、［Ｃ６］に記載の方法。
［Ｃ８］
可変送信電力制限を動的に決定することが、ユーザ入力から送信電力制限を計算することを備える、［Ｃ１］に記載の方法。
［Ｃ９］
可変送信電力制限を動的に決定することが、短距離、低電力技術を介して前記ワイヤレスデバイスによって信号をアクティブに受信することを備える、［Ｃ１］に記載の方法。
［Ｃ１０］
短距離、低電力技術がＢｌｕｅｔｏｏｔｈまたはニアフィールド通信技術を備える、［Ｃ９］に記載の方法。
［Ｃ１１］
ワイヤレス通信信号の送受信が可能なワイヤレス通信トランシーバおよび関連するアンテナと、
信号を処理し、メモリに記憶されたコードを実行するためのプロセッサを備える前記トランシーバに結合されたモデムと、
送信電力を測定し、制御するための前記モデムと前記トランシーバに結合された電力管理ユニットと、
可変送信電力制限を動的に決定し、現在の可変送信電力制限を増加または減少させ、ワイヤレスデバイスからの電磁放射線の放射を制御するために、前記現在の可変送信電力制限に従って前記ワイヤレスデバイスの送信電力を調整するための命令を記憶するための前記モデムに結合されたメモリとを備える、ワイヤレスデバイス。
［Ｃ１２］
可変送信電力制限を動的に決定することが、外部デバイスからＳＡＲまたは送信電力制限情報を取得することを備える、［Ｃ１１］に記載のワイヤレスデバイス。
［Ｃ１３］
前記外部デバイスが無線周波数識別タグを備える、［Ｃ１２］に記載のワイヤレスデバイス。
［Ｃ１４］
可変送信電力制限を動的に決定することが、ロケーションに基づいて送信電力を制限することを備える、［Ｃ１１］に記載のワイヤレスデバイス。
［Ｃ１５］
ロケーションに基づいて送信電力を制限することが、ロケーションの感度を決定するために、ロケーション情報を、基地局または他のネットワーク要素から受信したデータベース情報と相関させることを備える、［Ｃ１４］に記載のワイヤレスデバイス。
［Ｃ１６］
可変送信電力制限を動的に決定することが、人体近接度を検知することを備える、［Ｃ１１］に記載のワイヤレスデバイス。
［Ｃ１７］
人体近接度が赤外線センサ、熱センサ、静電容量センサまたは抵抗センサのうちの１つまたは複数を使用して検出される、［Ｃ１６］に記載のワイヤレスデバイス。
［Ｃ１８］
可変送信電力制限を動的に決定することが、ユーザ入力から送信電力制限を計算することを備える、［Ｃ１１］に記載のワイヤレスデバイス。
［Ｃ１９］
可変送信電力制限を動的に決定することが、短距離、低電力技術を介して前記ワイヤレスデバイスによって信号をアクティブに受信することを備える、［Ｃ１１］に記載のワイヤレスデバイス。
［Ｃ２０］
短距離、低電力技術がＢｌｕｅｔｏｏｔｈまたはニアフィールド通信技術を備える、［Ｃ１９］に記載のワイヤレスデバイス。
［Ｃ２１］
ワイヤレスデバイスにおけるプロセッサに、
可変送信電力制限を動的に決定させ、
現在の可変送信電力制限を増加または減少させ、
ワイヤレスデバイスからの電磁放射線の放射を制御するために、前記現在の可変送信電力制限に従って前記ワイヤレスデバイスの送信電力を調整させるための記憶された命令を有するコンピュータ可読媒体。
［Ｃ２２］
可変送信電力制限を動的に決定することが、外部デバイスからＳＡＲまたは送信電力制限情報を取得することを備える、［Ｃ２１］に記載のコンピュータ可読媒体。
［Ｃ２３］
前記外部デバイスが無線周波数識別タグを備える、［Ｃ２２］に記載のコンピュータ可読媒体。
［Ｃ２４］
可変送信電力制限を動的に決定することが、ロケーションに基づいて送信電力を制限することを備える、［Ｃ２１］に記載のコンピュータ可読媒体。
［Ｃ２５］
ロケーションに基づいて送信電力を制限することが、ロケーションの感度を決定するために、ロケーション情報を、基地局または他のネットワーク要素から受信したデータベース情報と相関させることを備える、［Ｃ２４］に記載のコンピュータ可読媒体。
［Ｃ２６］
可変送信電力制限を動的に決定することが、人体近接度を検知することを備える、［Ｃ２１］に記載のコンピュータ可読媒体。
［Ｃ２７］
人体近接度が赤外線センサ、熱センサ、静電容量センサまたは抵抗センサのうちの１つまたは複数を使用して検出される、［Ｃ２６］に記載のコンピュータ可読媒体。
［Ｃ２８］
可変送信電力制限を動的に決定することが、ユーザ入力から送信電力制限を計算することを備える、［Ｃ２１］に記載のコンピュータ可読媒体。
［Ｃ２９］
可変送信電力制限を動的に決定することが、短距離、低電力技術を介して前記ワイヤレスデバイスによって信号をアクティブに受信することを備える、［Ｃ２１］に記載のコンピュータ可読媒体。
［Ｃ３０］
短距離、低電力技術がＢｌｕｅｔｏｏｔｈまたはニアフィールド通信技術を備える、コンピュータ可読媒体２９の方法。
［Ｃ３１］
ワイヤレスデバイスからの電磁放射線の放射を制御するための手段であって、
可変送信電力制限を動的に決定するための手段と、
現在の可変送信電力制限を増加または減少させるための手段と、
ワイヤレスデバイスからの電磁放射線の放射を制御するために、前記現在の可変送信電力制限に従って前記ワイヤレスデバイスの送信電力を調整するための手段とを備える、手段。
［Ｃ３２］
可変送信電力制限を動的に決定するための手段が、外部デバイスからＳＡＲまたは送信電力制限情報を取得するための手段を備える、［Ｃ３１］に記載のワイヤレスデバイスからの電磁放射線の放射を制御するための手段。
［Ｃ３３］
前記外部デバイスが無線周波数識別タグを備える、［Ｃ３２］に記載のワイヤレスデバイスからの電磁放射線の放射を制御するための手段。
［Ｃ３４］
可変送信電力制限を動的に決定するための手段が、ロケーションに基づいて送信電力を制限するための手段を備える、［Ｃ３１］に記載のワイヤレスデバイスからの電磁放射線の放射を制御するための手段。
［Ｃ３５］
ロケーションに基づいて送信電力を制限するための手段が、ロケーションの感度を決定するために、ロケーション情報を、基地局または他のネットワーク要素から受信したデータベース情報と相関させるための手段を備える、［Ｃ３４］に記載のワイヤレスデバイスからの電磁放射線の放射を制御するための手段。
［Ｃ３６］
可変送信電力制限を動的に決定するための手段が、人体近接度を検知するための手段を備える、［Ｃ３１］に記載のワイヤレスデバイスからの電磁放射線の放射を制御するための手段。
［Ｃ３７］
人体近接度を検知するための手段が赤外線センサ、熱センサ、静電容量センサまたは抵抗センサを備える、［Ｃ３６］に記載のワイヤレスデバイスからの電磁放射線の放射を制御するための手段。
［Ｃ３８］
可変送信電力制限を動的に決定するための手段が、ユーザ入力から送信電力制限を計算するための手段を備える、［Ｃ３１］に記載のワイヤレスデバイスからの電磁放射線の放射を制御するための手段。
［Ｃ３９］
可変送信電力制限を動的に決定するための手段が、短距離、低電力技術を介して前記ワイヤレスデバイスによって信号をアクティブに受信するための手段を備える、［Ｃ３１］に記載のワイヤレスデバイスからの電磁放射線の放射を制御するための手段。
［Ｃ４０］
短距離、低電力技術がＢｌｕｅｔｏｏｔｈまたはニアフィールド通信技術を備える、［Ｃ３９］に記載のワイヤレスデバイスからの電磁放射線の放射を制御するための手段。
［Ｃ４１］
前記外部デバイスが前記ワイヤレスデバイスから受ける電磁放射線の量を測定し、前記測定した電磁放射線の量が閾値を上回る場合、前記ワイヤレスデバイスが、前記測定した放射線レベルまたは所望の送信電力制限を示す前記外部デバイスから信号を受信する、［Ｃ２］に記載の方法。
【図１】
0005852224.tif 000002
【図２】
0005852224.tif 000003
【図３】
0005852224.tif 000004
【図４】
0005852224.tif 000005